(57)【要約】【課題】各種電子機器に使用される開閉装置に関し、滑らかで確実な開閉操作が可能なものを提供することを目的とする。【解決手段】固定体１と可動体１３を回転可能に係合する固定軸１６の上端を、可動体１３にかしめ固着することによって、溶接等に比べ比較的簡易なかしめ加工で、固定軸１６を可動体１３に容易に固着できると共に、開閉操作の際、可動体１３と固定軸１６は一体となって回転し、この間に摩耗が発生しないため、引掛かり感等がなく、滑らかで確実な開閉操作が可能な開閉装置を得ることができる。【選択図】図１
2006258116.tif 000002
【特許請求の範囲】
【請求項１】
上面に固定カムが設けられた固定体と、下面に可動カムが設けられた可動体と、上記固定カムと上記可動カムを弾接させるばねと、上記固定体と上記可動体を挿通し、これらを回転可能に係合させる固定軸からなり、上記固定軸の一端を、上記固定体または上記可動体の一方にかしめ固着した開閉装置。
【請求項２】
固定軸の他端と固定体または可動体の間に、摺滑体を挟持した請求項１記載の開閉装置。
【発明の詳細な説明】
【技術分野】
【０００１】
本発明は、携帯電話やビデオカメラ等の、各種電子機器に使用される開閉装置に関するものである。
【背景技術】
【０００２】
近年、携帯電話やビデオカメラ等の電子機器の小型化や高機能化が進む中、固定筐体に対して可動筐体が回転し開閉可能に装着されたものが増えており、これらに用いられる開閉装置においても、開閉操作が確実でより使い易いものが求められている。
【０００３】
このような従来の開閉装置について、図５及び図６を用いて説明する。
【０００４】
図５は従来の開閉装置の断面図、図６は同分解斜視図であり、同図において、１は略板状の固定体、２は上面に複数の凸状のカム部２Ａが形成された略円盤状の固定カムで、固定体１及び固定カム２の中央には貫通孔１Ａと２Ｂが形成されると共に、固定体１の貫通孔１Ａ外周に形成された取付孔１Ｂには、固定カム２下面の突起部２Ｃが挿入されて、固体１上面に固定カム２が装着されている。
【０００５】
そして、３は略板状の可動体、４は下面に複数の凹状のカム部４Ａが形成された略円盤状の可動カムで、可動体３及び可動カム４の中央には貫通孔３Ａと４Ｂが形成されると共に、可動体３の貫通孔３Ａ外周に形成された取付孔３Ｂには、可動カム４上面の突起部４Ｃが挿入されて、可動体３下面に可動カム４が装着されている。
【０００６】
また、５はコイル状のばねで、固定体１上面と固定カム２の間に、やや撓んだ状態で装着され、このばね５によって固定カム２が上方へ付勢され、固定カム２上面のカム部２Ａと可動カム４下面のカム部４Ａが弾接している。
【０００７】
さらに、６は金属製で中空円筒状の固定軸で、筒部６Ａが固定体１の貫通孔１Ａやばね５、固定カム２の貫通孔２Ｂ、可動カム４の貫通孔４Ｂや可動体３の貫通孔３Ａを挿通すると共に、下端には筒部６Ａよりも外径の大きな頭部６Ｂが形成され、この頭部６Ｂが固定体１下面に当接している。
【０００８】
そして、固定軸６の筒部６Ａ上端が、図５に示すように、可動カム４と噛合するための固定カム２が上下動可能な隙間を空け、略円錐状のポンチ(図示せず)等によって下方へ巻回かしめされて、筒部６Ａよりも外径の大きな巻回部６Ｃが形成され、固定体１と可動体３が回転可能に係合されて、開閉装置１０が構成されている。
【０００９】
また、このように構成された開閉装置１０は、例えば、固定体１が携帯電話やビデオカメラ等の、複数の操作部やマイクロフォン等が設けられた固定筐体へ、可動体３が表示画面やスピーカ、カメラ等が設けられた可動筐体へ各々固着され、開閉装置１０によって、固定筐体に対して可動筐体が開閉可能に形成されて電子機器が構成される。
【００１０】
以上の構成において、例えば、固定体１に対し可動体３が平行に重なった状態、つまり可動筐体が固定筐体に対して閉じた状態から、可動筐体つまり可動体３を開く方向へ回転すると、これに伴って可動カム４も回転し、所定角度、例えば９０度だけ回転して、下面の凹状のカム部４Ａが固定カム２上面の凸状のカム部２Ａに噛合すると、９０度だけ開いた位置で可動体３は一旦停止する。
【００１１】
そして、さらに可動体３を回転すると、固定カム２が下方へ移動しカム部４Ａがカム部２Ａから外れて可動カム４も回転するが、複数のカム部４Ａと２Ａの間隔だけ回転すると、再びその角度で、例えば閉状態から１８０度回転した位置で、ばね５によって付勢されたカム部２Ａとカム部４Ａが噛合し、可動体３が停止する。
【００１２】
つまり、機器の可動筐体に固着された可動体３を回転操作することによって、固定筐体に対する可動筐体の開閉操作が行われると共に、可動体３の可動カム４と固定体１の固定カム２によって、可動筐体を０度や９０度、１８０度といった所定の角度に保持できるように構成されているものであった。
【００１３】
なお、この出願の発明に関連する先行技術文献情報としては、例えば、特許文献１が知られている。
【特許文献１】特開２００２−２０６５２０号公報
【発明の開示】
【発明が解決しようとする課題】
【００１４】
しかしながら、上記従来の開閉装置においては、固定体１と可動体３を回転可能に係合する固定軸６が、下端に形成された頭部６Ｂが固定体１下面に、上端に形成された巻回部６Ｃが可動体３上面に各々当接しているだけで、固定体１と可動体３の回転操作に対してはフリーな状態であるため、開閉操作を繰返した際、頭部６Ｂと固定体１下面、及び巻回部６Ｃと可動体３上面の両方の間で磨耗が発生し、これが甚だしくなると、開閉操作に引掛かり感等が生じ、開閉操作が不確実なものとなってしまうという課題があった。
【００１５】
本発明は、このような従来の課題を解決するものであり、滑らかで確実な開閉操作が可能な開閉装置を提供することを目的とする。
【課題を解決するための手段】
【００１６】
上記目的を達成するために本発明は、以下の構成を有するものである。
【００１７】
本発明の請求項１に記載の発明は、固定体と可動体を回転可能に係合する固定軸の一端を、固定体または可動体の一方にかしめ固着して開閉装置を構成したものであり、かしめ加工によって固定軸を、容易に固定体または可動体の一方に固着できると共に、開閉操作の際、固定軸が固着された側と一体となって回転し、この間には磨耗が発生しないため、引掛かり感等がなく、滑らかで確実な開閉操作が可能な開閉装置を得ることができるという作用を有する。
【００１８】
請求項２に記載の発明は、請求項１記載の発明において、固定軸の他端と固定体または可動体の間に、摺滑体を挟持したものであり、摺滑体によって、固着されていない固定軸他端側の磨耗も防ぐことができるという作用を有する。
【発明の効果】
【００１９】
以上のように本発明によれば、滑らかで確実な開閉操作が可能な開閉装置を実現することができるという有利な効果が得られる。
【発明を実施するための最良の形態】
【００２０】
以下、本発明の実施の形態について、図１〜図４を用いて説明する。
【００２１】
なお、背景技術の項で説明した構成と同一構成の部分には同一符号を付して、詳細な説明を簡略化する。
【００２２】
（実施の形態）
図１は本発明の一実施の形態による開閉装置の断面図、図２は同分解斜視図であり、同図において、１は略板状で鋼や銅合金等の固定体、２は上面に複数の凸状のカム部２Ａが形成された略円盤状で鋼や銅合金等の固定カムで、固定体１及び固定カム２の中央には貫通孔１Ａと２Ｂが形成されると共に、固定体１の貫通孔１Ａ外周に形成された取付孔１Ｂには、固定カム２下面の突起部２Ｃが挿入されて、固定体１上面に固定カム２が装着されている。
【００２３】
そして、１３は略板状で鋼や銅合金等の可動体で、中央には外方に窪んだ複数の凹部１３Ａが形成された貫通孔１３Ｂが設けられると共に、この貫通孔１３Ｂ外周には取付孔１３Ｃが形成されている。
【００２４】
また、４は略円盤状で鋼や銅合金等の可動カムで、下面に複数の凹状のカム部４Ａが、中央には貫通孔４Ｂが形成されると共に、上面の突起部４Ｃが可動体１３の取付孔１３Ｃに挿入されて、可動体１３下面に可動カム４が装着されている。
【００２５】
さらに、５は鋼線製でコイル状のばねで、固定体１上面と固定カム２の間に、やや撓んだ状態で装着され、このばね５によって固定カム２が上方へ付勢され、固定カム２上面のカム部２Ａと可動カム４下面のカム部４Ａが弾接している。
【００２６】
また、１６は鋼や銅合金等の金属製で中空円筒状の固定軸で、筒部１６Ａが固定体１の貫通孔１Ａやばね５、固定カム２の貫通孔２Ｂ、可動カム４の貫通孔４Ｂや可動体１３の貫通孔１３Ｂを挿通すると共に、下端には筒部１６Ａよりも外径の大きな頭部１６Ｂが形成されている。
【００２７】
そして、固定軸１６の筒部１６Ａ上端が、可動カム４と噛合するための固定カム２が上下動可能な隙間を空けて、下方へ巻回かしめされ、筒部１６Ａよりも外径の大きな巻回部１６Ｃが形成されて、固定体１と可動体１３が回転可能に係合されている。
【００２８】
なお、この巻回部１６Ｃは、図３（ａ）の部分斜視図に示すように、先ず固定軸１６の筒部１６Ａ上端を、下方から可動体１３の貫通孔１３Ｂ内に挿入し、図３（ｂ）に示すように、可動体１３上面からやや突出させた後、略円錐状のポンチ（図示せず）等によって上方から押圧加圧して、図３（ｃ）に示すように筒部１６Ａ上端を外方へ広げ、下方へ巻回かしめして形成される。
【００２９】
そして、この時、貫通孔１３Ｂには外方に窪んだ複数の凹部１３Ａが設けられているため、筒部１６Ａの外周がこれらの凹部１３Ａに食い込み、巻回部１６Ｃ内周に複数の固着部１６Ｄが形成されて、固定軸１６の筒部１６Ａ上端が可動体１３にかしめ固着され、一体化される。
【００３０】
さらに、図１に示すように、固定軸１６下端の頭部１６Ｂと固定体１下面との間には、リング状でカーボン入ナイロンやニッケルめっき鋼等の摺滑体１７が挟持されて、開閉装置２０が構成されている。
【００３１】
そして、このように構成された開閉装置２０は、例えば、固定体１が携帯電話やビデオカメラ等の、複数の操作部やマイクロフォン等が設けられた固定筐体へ、可動体１３が表示画面やスピーカ、カメラ等が設けられた可動筐体へ各々固着され、開閉装置２０によって、固定筐体に対して可動筐体が開閉可能に形成されて電子機器が構成される。
【００３２】
以上の構成において、例えば、固定体１に対し可動体１３が平行に重なった状態、つまり可動筐体が固定筐体に対して閉じた状態から、可動筐体つまり可動体１３を開く方向へ回転すると、これに伴って可動カム４も回転し、所定角度、例えば９０度だけ回転して、下面の凹状のカム部４Ａが固定カム２上面の凸状のカム部２Ａに噛合すると、９０度だけ開いた位置で可動体１３は一旦停止する。
【００３３】
そして、さらに可動体１３を回転すると、固定カム２が下方へ移動しカム部４Ａがカム部２Ａから外れて可動カム４も回転するが、複数のカム部４Ａと２Ａの間隔だけ回転すると、再びその角度で、例えば閉状態から１８０度回転した位置で、ばね５によって付勢されたカム部２Ａとカム部４Ａが噛合し、可動体１３が停止する。
【００３４】
つまり、機器の可動筐体に固着された可動体１３を回転操作することによって、固定筐体に対する可動筐体の開閉操作が行われると共に、可動体１３の可動カム４と固定体１の固定カム２によって、可動筐体を０度や９０度、１８０度といった所定の角度に保持できるようになっている。
【００３５】
そして、この可動体１３の回転操作時、上述したように、巻回部１６Ｃ内周には複数の固着部１６Ｄが形成され、固定軸１６の筒部１６Ａ上端は可動体１３にかしめ固着され一体化されているため、巻回部１６Ｃ下面と可動体１３上面の間には開閉操作による摩耗等が発生しないように構成されている。
【００３６】
さらに、固定軸１６下端の頭部１６Ｂと固定体１下面との間には、摺滑体１７が挟持されているため、この間の摩耗も低減され、引掛かり感等がなく、滑らかで確実な可動体１３の開閉操作が可能なようになっている。
【００３７】
このように本実施の形態によれば、固定体１と可動体１３を回転可能に係合する固定軸１６の上端を、可動体１３にかしめ固着することによって、溶接等に比べ比較的簡易なかしめ加工で、固定軸１６を可動体１３に容易に固着できると共に、開閉操作の際、可動体１３と固定軸１６は一体となって回転し、この間に摩耗が発生しないため、引掛かり感等がなく、滑らかで確実な開閉操作が可能な開閉装置を得ることができるものである。
【００３８】
また、固定軸１６の下端と固定体１の間に、摺滑体１７を挟持することによって、固着されていない固定軸１６下端の頭部１６Ｂと固定体１の間の摩耗も防ぐことができる。
【００３９】
なお、固定軸１６の上端と可動体１３のかしめ固着方法としては、図３で説明した方法の他、図４（ａ）の部分斜視図に示すように、固定軸１６の筒部１６Ａ上端に複数の凹部１６Ｅを、可動体１３の貫通孔１３Ｂに複数の凸部１３Ｄを形成し、この筒部１６Ａを図４（ｂ）に示すように、下方から貫通孔１３Ｂ内に挿入し、上方から押圧加工して、図４（ｃ）に示すように、筒部１６Ａ上端を外方へ広げて巻回部１６Ｃを形成してもよい。
【００４０】
そして、この場合には、固定軸１６の凹部１６Ｅに可動体１３の凸部１３Ｄが嵌合して、固定軸１６の筒部１６Ａ上端が可動体１３にかしめ固着されて一体化されているため、同様に可動体１３と固定軸１６の間の摩耗を防ぐことができる。
【００４１】
また、以上の説明では、固定軸１６上端を可動体１３にかしめ固着し、固定軸１６が可動体１３と共に回転する構成として説明したが、これとは逆に、固定軸１６を固定体１にかしめ固着し、これらに対して可動体１３が回転する構成としても、本発明の実施は可能である。
【００４２】
さらに、固定体１と可動体１３、及び固定カム２と可動カム４の四つの構成部品を用いた構成について説明したが、固定体１上面に凸状の固定カムを、可動体１３下面に凹状の可動カムを各々一体に形成すると共に、固定体１下面または可動体１３上面にばね５を配置し、カムを弾接させる構成とすれば、使用部品数が少なくなり安価に開閉装置を形成することができる。
【産業上の利用可能性】
【００４３】
本発明による開閉装置は、滑らかで確実な開閉操作が可能なものを得ることができ、各種電子機器に使用される開閉装置として有用である。
【図面の簡単な説明】
【００４４】
【図１】本発明の一実施の形態による開閉装置の断面図
【図２】同分解斜視図
【図３】同部分斜視図
【図４】同他の実施の形態による部分斜視図
【図５】従来の開閉装置の断面図
【図６】同分解斜視図
【符号の説明】
【００４５】
１  固定体
１Ａ  貫通孔
１Ｂ  取付孔
２  固定カム
２Ａ  カム部
２Ｂ  貫通孔
２Ｃ  突起部
４  可動カム
４Ａ  カム部
４Ｂ  貫通孔
４Ｃ  突起部
５  ばね
１３  可動体
１３Ａ  凹部
１３Ｂ  貫通孔
１３Ｃ  取付孔
１３Ｄ  凸部
１６  固定軸
１６Ａ  筒部
１６Ｂ  頭部
１６Ｃ  巻回部
１６Ｄ  固着部
１６Ｅ  凹部
１７  摺滑体
２０  開閉装置
【図１】
2006258116.tif 000003
【図２】
2006258116.tif 000004
【図３】
2006258116.tif 000005
【図４】
2006258116.tif 000006
【図５】
2006258116.tif 000007
【図６】
2006258116.tif 000008